(57)【要約】【課題】  間接活線作業において、作業者の熟練度に関係なく、固定部の鉤爪部の先端と可動部の可動体との開き具合を、特定の電線の線径などに合った開き具合に迅速かつ簡単に合わせることができ、また、前記開き具合を、複数の異なる線径などの電線に合った開き具合に選択して合わせることができる間接活線作業用器具を提供することを課題とする。【解決手段】  可動部５Ａの可動体１５Ａに備えた窪み２５Ａと、固定部４Ａに備えた球体１９Ａなどの突部もしくは突起とを備え、突部などが窪み２５Ａに嵌ることで、位置決めされると共に、クリック感触を発生させる位置決め手段６Ａを備えることを特徴とする。また、位置決め手段には、突部もしくは突起を複数箇所に備えて、異なるクリック感触を発生させるものも含まれる。【選択図】  図１
2010068582.tif 000002
【特許請求の範囲】
【請求項１】
先端側に鉤爪形の部分を有する固定部と、固定部の鉤爪形の部分に向かって進退可能に移動する可動部とを備え、先端側が固定部もしくは可動部の基端側に接続される絶縁性の操作棒によって可動部が操作されるように構成される間接活線作業用器具において、
一箇所以上で位置決め可能で、かつ、位置決めされたことでクリック感触を発生させる位置決め手段を可動部および固定部に備えることを特徴とする間接活線作業用器具。
【請求項２】
クリック感触が操作棒に機械的に伝達されるよう構成される請求項１に記載の間接活線作業用器具。
【請求項３】
位置決め手段は、可動部と対向する固定部の部分および該部分に対向する可動部の部分のいずれか一方に、弾性力により一部を突出させた突部を備え、他方に、突部を嵌め込み可能な窪みを備えており、窪みに突部を嵌め込むことでクリック感触を発生させる請求項１または２に記載の間接活線作業用器具。
【請求項４】
位置決め手段は、可動部と対向する固定部の部分および該部分に対向する可動部の部分のいずれか一方に、弾性を有する突起を備え、他方に、突起を嵌め込み可能な窪みを備えており、窪みに突起を嵌め込むことでクリック感触を発生させる請求項１または２に記載の間接活線作業用器具。
【請求項５】
位置決め手段は、二箇所以上で位置決め可能である請求項１〜４のいずれか１項に記載の間接活線作業用器具。
【請求項６】
位置決め手段は、二箇所以上の位置決めに対して、それぞれ異なるクリック感触を発生させる請求項５に記載の間接活線作業用器具。
【発明の詳細な説明】
【技術分野】
【０００１】
本発明は、活線近接範囲外から作業を行う間接活線作業において、電線などを保持（把持）するための、ストレーリンクトング、間接接地地絡器具、針電極クランプなどの間接活線作業用器具に関する。
【背景技術】
【０００２】
通電している電線（架空線）に関する活線作業は、絶縁手袋を着用して直接手作業で行う直接活線作業や、直接、電線の通電部分に触れず、活線近接範囲外から作業を行う間接活線作業がある。
【０００３】
たとえば、間接活線作業で用いる間接活線作業用器具を例示すると、電線を保持するストレーリンクトング（特許文献１）、電線の接地を取る間接接地地絡器具（特許文献２）、あるいは、電線を被覆したままの状態で、針状の針電極を電線に差し込むことで電気的に接続する針電極クランプ（特許文献３および特許文献４）などがある。また、間接接地地絡器具や針電極クランプなどの一部の間接活線作業用器具は、絶縁操作棒に相当する構成を備えていないため、共用操作棒（特許文献５）に接続して使用する。
【０００４】
はじめに、図５を用いて、ストレーリンクトング１の構造について説明する。ストレーリンクトング１は、図５（イ）に示すように、先端側にある先端工具２と、絶縁性を有する長尺の絶縁操作棒３とを備えている。
【０００５】
先端工具２は、略コの字形を有する固定部４と、絶縁操作棒３の軸方向に進退可能に移動する可動部５とを備えている。
【０００６】
そして、図５（ロ）に示すように、固定部４は、先端側に鉤爪状の鉤爪部１０を有する爪部１１と、略コの字形の基端部のほぼ中央が貫通され、内周面にネジ溝を切った貫通口を有する回転体１２が挿通された接続部１３とを備えている。一方、可動部５は、回転体１２の貫通口内周面のネジ溝に噛み合わさるようにネジ山を切った棒状のネジ軸体１４と、固定部４と協働して電線を保持（把持）可能な可動体１５とを備えている。可動体１５は、固定部４と対向する面に凹部を有し、固定部４の鉤爪部１０から基端側に延びる直線部分に該凹部が嵌まり込んだ状態でネジ軸体１４の先端に取り付けられている。また、固定部４は、電線を締め付けると容易に緩まないように保持するロック機構の一部であるつまみ部１６を接続部１３に備えている。
【０００７】
絶縁操作棒３は、図５（イ）に示すように、先端部が固定部４の回転体１２の基端部に固定され、また、可動部５のネジ軸体１４が後退したときに格納可能な空間を先端部に備えている。さらに、間接活線作業において、感電事故を防止するために、絶縁操作棒３のほぼ中間に、安全限界つば３１を備えている。これは、作業者が握っても感電しない部分と、それ以外の部分であって、握ると感電する可能性がある部分との境界を明確にするために備えられたものである。さらに、絶縁操作棒３は、降雨時対策として、絶縁操作棒３の先端側から安全限界つば３１とのほぼ中間に水切りつば３２を備えている。
【０００８】
ここで、ストレーリンクトングの使用方法について、図５（イ）および（ロ）を用いて説明する。まず、固定部４の鉤爪部の先端１７と可動部５の可動体１５との開き具合を、電線を挿入できる程度まで緩める。そして、絶縁操作棒３を保持して、先端工具２を電線に近づけ、固定部４の鉤爪部の先端１７と可動部５の可動体１５との隙間１８に、電線を通し、鉤爪部１０に引っ掛ける。この状態で絶縁操作棒３を回転させると、固定部４は、鉤爪部の先端１７と鉤爪部１０の基端部分を接点に電線を捻るように力が加わり、回り止めされる。そして、絶縁操作棒３をさらに回転させると、固定部４が回り止めされているため、接続部１３に対して回転自在に取り付けられている回転体１２が回転する。一方、可動部５は、回転体１２が回転するため、回転体１２の貫通口にネジ込められたネジ軸体１４およびネジ軸体１４に固定された可動体１５に回転力が加わる。しかし、可動体１５は、固定部４の鉤爪部１０から基端側に延びる直線部分に凹部を嵌まり込んでいるため、回り止めされている。
【０００９】
よって、絶縁操作棒３を左回転させると、固定部４が電線により回り止めされ、可動体１５が固定部４により回り止めされているため、回転体１２が左回転して、ネジ軸体１４と可動体１５は、ネジ軸体１４のネジにより、鉤爪部１０に向かって前進し、鉤爪部１０と可動体１５との隙間１８が狭くなる。すなわち、電線を締め付けることができる。また、絶縁操作棒３を右回転させると、固定部４が電線により回り止めされ、可動体１５が固定部４により回り止めされているため、回転体１２が右回転して、ネジ軸体１４と可動体１５は、ネジ軸体１４のネジにより、絶縁操作棒３に向かって後退し、鉤爪部１０と可動体１５との隙間１８が広くなる。すなわち、ロック機構をかけていなければ、電線を緩めることができる。
【００１０】
鉤爪部の先端１７と可動体１５との開き具合が電線を通すことができる程度まで緩められると、鉤爪部の先端１７と可動体１５との隙間１８に電線を挿入することができる。そして、電線は、固定部４の鉤爪部１０に電線を嵌め込み、きつく締め付けることで保持することができる。
【００１１】
また、ストレーリンクトング１には、締め付けた電線が容易に緩まないように、可動部５の後退をロックする機能を備えている。すなわち、図５（ロ）に示すように、絶縁操作棒３は、先端の縁に沿って凹凸を有し、該凹凸は、絶縁操作棒３を左回転するときに対向する面が滑らかな傾斜となっており、右回転するときに対向する面が略垂直な面となっている。つまみ部１６は、前記凹凸に向かって、移動可能に取り付けられている。そして、つまみ部１６を絶縁操作棒３側に、すなわち、下側に移動させ、絶縁操作棒３を右回転すると、前記凹凸の略垂直な面と接触し、絶縁操作棒３の右回転を、そして、可動体１５の後退を制限する。一方、絶縁操作棒３を左回転すると、前記凹凸の滑らかな傾斜と接触するが、傾斜に沿って容易に乗り越えることができるため、絶縁操作棒３の左回転を、そして、可動体１５の前進を制限しない。また、つまみ部１６を固定部４の鉤爪部１０側に、すなわち、上側に移動させると、前記凹凸と接触しないため、左右いずれの回転も制限しない。
【００１２】
次に、間接接地地絡器具や針電極クランプについて説明する。間接接地地絡器具や針電極クランプなどの一部の間接活線作業用器具は、絶縁操作棒に相当する部分を備えていないため、共用操作棒に接続して使用する。なお、共用操作棒は、前述のストレーリンクトングの絶縁操作棒と、間接接地地絡器具などを接続する接続部とを備えている以外の構成が同じであるため、相違点である接続部についてのみ説明する。
【００１３】
図６に示すように、間接接地地絡器具１００は、活線の接地をとるための間接活線作業用器具であり、電線を保持可能な３つの地絡金具（ストレーリンクトングの先端工具にあたる）１０２、１０２、１０２と、３つある地絡金具１０２、１０２、１０２のうち、１つの地絡金具１０２に他の２つの地絡金具１０２、１０２を取付可能な仮支持用棒１３６と、３本の電線であって、一端を各地絡金具１０２の端子にそれぞれ接続し、他の一端同士を接続する地絡線１３７、１３７、１３７と、接地極１３８に接続可能な接地金具１３９と、１本の電線であって、３本の地絡線１３７、１３７、１３７を一端に接続した端子にさらに接続し、他の一端に接地金具１３９を接続した接地線１４０とを備えている。
【００１４】
また、地絡金具１０２は、略コの字形を有する固定部と、共用操作棒の軸方向に進退可能に移動する可動部と、接続部の筒状挿入部を挿入可能な上面をふさがれた円筒状の接続金具１４１と、地絡線１３７を接続する接続端子１４２とを備えている。前記固定部は、先端側に鉤爪状の鉤爪部を有する爪部と、略コの字形の基端部のほぼ中央が貫通され、内周面にネジ溝を切った貫通口を有する接続部とを備えている。一方、前記可動部は、前記接続部の貫通口内周面のネジ溝に噛み合わさるようにネジ山を切った棒状のネジ軸体と、前記固定部と協働して電線を保持（把持）可能な可動体とを備えている。前記可動体は、固定部と対向する面に凹部を有し、前記固定部の鉤爪部から基端側に延びる直線部分に該凹部が嵌まり込んだ状態でネジ軸体の先端に取り付けられており、ネジ軸体に対して回転自在になっている。さらに、接続金具１４１の周面には、筒状挿入部の周面に備えた係止用突起と係合可能な係合切れ込み１４３が形成されており、切れ込みの形状は、鉤爪状もしくはΤ型となっている。
【００１５】
これに対し、図に示さないが、共用操作棒の先端部は、円筒形をしており、上面がふさがれている筒状挿入部と、筒状挿入部の周面に係止用突起とを備えている。また、係止用突起は、一対の円柱状の突起で構成されており、筒状挿入部の周面に互いに反対側の位置の径方向外側に向かって備えられている。さらに、先端部の上面には、ほぼ中央に孔を設けており、筒状挿入部の内部に形成された空間から凸部を孔から突出させる凸形部材と、該空間の内側からスプリングなどで凸形部材を押し上げる弾性体とを備えている。
【００１６】
ここで、間接接地地絡器具１００の使用方法について説明する。まず、仮支持用棒１３６の取り付けられた短絡金具１０２に、他の２つの短絡金具１０２、１０２を接続する。そして、他の２つの短絡金具１０２、１０２を接続した中央の短絡金具１０２の接続金具１４１に、共用操作棒の筒状挿入部を、係合切れ込み１４３に沿って係合用突起を挿入することで接続する。なお、先端部の凸形部材は、鉤爪状の係合切れ込み１４３の端まで係合用突起が達すると、弾性体により、引き戻す方向に押し戻され、係合用突起が係合切れ込み１４３の鉤爪状の端に引っ掛かって固定される。つぎに、地面などに打ち込まれた接地極１３８に接地金具１３９を接続する。
【００１７】
そして、共用操作棒を保持して、地絡金具１０２を電線に近づけ、固定部の鉤爪部の先端と可動部の可動体との隙間に、電線を通し、鉤爪部に引っ掛ける。なお、これに先立っては、固定部の鉤爪部と可動体との開き具合を最大にして固定部の接続部と可動体とを当接させることにより、固定部をネジ軸体に対して回転不能なロック状態にしておくことが好ましい。これは、そのようにしておかなければ、短絡金具１０２が共用操作棒の軸回りに自由に回転できて不安定な状態であるため、共用操作棒を操作して固定部の鉤爪部の先端と可動体との隙間に電線を通そうとしても、短絡金具１０２を思い通りの向きに操作することができないからである。この状態で共用操作棒を回転させると、固定部は、鉤爪部の先端と鉤爪部の基端部分を接点に電線を捻るように力が加わり、回り止めされる。そして、共用操作棒をさらに回転させると、固定部が回り止めされているため、可動体が回転し、接続部の貫通口にネジ込められたネジ軸体に回転力が加わる。しかし、可動体は、固定部の鉤爪部から基端側に延びる直線部分に凹部を嵌まり込んでいるため、回り止めされている。よって、共用操作棒を左回転させると、固定部が電線により回り止めされ、可動体が固定部により回り止めされているが、ネジ軸体は回転自在であるため、可動体は、ネジにより、固定部の鉤爪部に向かって前進し、鉤爪部と可動体との隙間が狭くなる。すなわち、電線を締め付けることができる。
【００１８】
同様に、仮支持用棒１３６に取り付けられている他の２つの短絡金具１０２、１０２についても、順に共用操作棒を接続して、仮支持用棒１３６から取り外して、それぞれの電線に保持することで、各電線の接地をとることができる。
【００１９】
また、図７に示すように、針電極クランプ２００は、活線に対して電流を取り出すための間接活線作業用器具であり、略コの字形を有する固定部２０４と、共用操作棒の軸方向に進退可能に移動する可動部２０５と、固定部２０４もしくは可動部２０５に刃を有する針電極２３６と、固定部２０４に取り付けられ、針電極２３６から電流を取り出す出力端子２３７と、共用操作棒を接続するための接続金具２３８とを備えている。固定部２０４は、先端側に鉤爪状の鉤爪部２１０を有する爪部と、略コの字形の基端部のほぼ中央が貫通され、内周面にネジ溝を切った貫通口を有する接続部とを備えている。一方、可動部２０５は、前記接続部の貫通口内周面のネジ溝に噛み合わさるようにネジ山を切った棒状のネジ軸体２１４と、固定部２０４と協働して電線を保持（把持）可能な可動体２１５とを備えている。ネジ軸体２１４は、可動体２１５に対して回転自在に取り付けられている。なお、前述の間接接地地絡器具と同様に、接続金具２３８を共用操作棒に接続して使用する。
【００２０】
ここで、針電極クランプ２００の使用方法について説明する。まず、間接接地地絡器具と同様の理由により、固定部２０４の鉤爪部２１０と可動体２１５との開き具合を最大にして固定部２０４の接続部と可動体２１５とを当接させることにより、固定部２０４をネジ軸体２１４に対して回転不能なロック状態にしておく。そして、接続金具２３８に共用操作棒の先端部を接続し、出力端子２３７に出力側電線を接続する。そして、針電極クランプ２００を入力側電線に近づけて、共用操作棒を操作することで、間接地絡接地器具の地絡金具と同様に、固定部２０４の鉤爪部２１０の先端と可動部２０５の可動体２１５との隙間に電線を挿入する。そして、共用操作棒を操作して、電線を締め付け、同時に固定部２０４及び可動部２０５のいずれかに接続された針電極２３６を電線に押し当てる。そうすると、針電極２３６は、電線の被覆を破って、導体に接続されるため、出力端子２３７から電流を取り出すことができるようになる。
【特許文献１】特開２００８−１３１６８５号公報（たとえば、段落００３３）
【特許文献２】特開２００２−１５２９３５号公報（たとえば、段落００１１〜段落００１４）
【特許文献３】特開２０００−２０９７２６号公報（たとえば、段落０００２）
【特許文献４】特開平０９−０４６８４３号公報（たとえば、段落０００２〜段落０００５）
【特許文献５】特開２００８−０７９４３２号公報（たとえば、段落０００３）
【発明の開示】
【発明が解決しようとする課題】
【００２１】
しかしながら、間接活線作業は、ストレーリンクトングなどで、活線近接範囲外から、操作棒を介して行わなければならない。よって、電線を固定部の鉤爪部の先端と可動部の可動体との隙間に挿入するために、目視で可動部の開き具合を確認しなければならない。
【００２２】
また、鉤爪部の先端と可動体との隙間を広げすぎると、電線を鉤爪部の先端と可動体との隙間に挿入した後の締め付け量が多くなる一方、鉤爪部の先端と可動体との隙間を狭くしすぎると、電線を鉤爪部の先端と可動体との隙間に挿入することができないため、再度、操作棒を操作して隙間を広げる必要がある。この作業は、単純であるが、作業者の熟練度により、作業効率に大きな差が生じる。
【００２３】
従って、本発明は、作業者の熟練度に関係なく、可動部の開き具合を、特定の電線の線径などに合った開き具合に迅速かつ簡単に合わせることができる間接活線作業用器具を提供することを第一の課題とする。
【００２４】
また、電線の線径は、作業現場によって様々である。よって、鉤爪部の先端と可動体との隙間は、それぞれの電線の線径に合わせて、可動部の開き具合を変更する必要がある。すなわち、作業者は、それぞれの電線の線径に合わせて前記開き具合を合わせる必要があるが、作業者の熟練度が低いと、緩めすぎや締め付けすぎに伴う緩め直しや締め付け直しが増えてしまう点、作業効率は、作業者の熟練度により、さらに大きな差を生む。
【００２５】
従って、本発明は、上記第一の課題に加えて、可動部の開き具合を、複数の異なる線径などの電線に合った開き具合に選択して合わせることができる間接活線作業用器具を提供することを第二の課題とする。
【課題を解決するための手段】
【００２６】
そこで、第一の課題を解決するために、本発明に係る間接活線作業用器具は、先端側に鉤爪形の部分を有する固定部と、固定部の鉤爪形の部分に向かって進退可能に移動する可動部とを備え、先端側が固定部もしくは可動部の基端側に接続される絶縁性の操作棒によって可動部が操作されるように構成される間接活線作業用器具において、一箇所以上で位置決め可能で、かつ、位置決めされたことでクリック感触を発生させる位置決め手段を可動部および固定部に備えることを特徴とする。
【００２７】
かかる構成によれば、間接活線作業用器具は、可動部の開き具合を、電線の線径などの特定の隙間に合わせる位置決め手段を備えており、操作棒により可動部を進退させて、開き具合が所望の状態になると、クリック感触が発生し、機械的振動や音となって作業者に伝達され、作業者に可動部を止めるように促すものである。
【００２８】
また、本発明に係る間接活線作業用器具は、クリック感触が操作棒に機械的に伝達される構成を採用することができる。
【００２９】
かかる構成によれば、クリック感触は、操作棒に伝達され、操作棒を握る作業者に伝達することが可能となる。すなわち、作業者は、開き具合が所望の状態になったことを表すクリック感触を操作棒を介して知覚することができる。
【００３０】
また、本発明に係る間接活線作業用器具の位置決め手段は、可動部と対向する固定部の部分および該部分に対向する可動部の部分のいずれか一方に、弾性力により一部を突出させた突部を備え、他方に、突部を嵌め込み可能な窪みを備えており、窪みに突部を嵌め込むことでクリック感触を発生させる構成を採用することができる。
【００３１】
かかる構成によれば、クリック感触は、窪みに突部を嵌ることで発生し、たとえば、操作棒に伝達され、操作棒を握る作業者に伝達されることが可能となる。
【００３２】
また、本発明に係る間接活線作業用器具の位置決め手段は、可動部と対向する固定部の部分および該部分に対向する可動部の部分のいずれか一方に、弾性を有する突起を備え、他方に、突起を嵌め込み可能な窪みを備えており、窪みに突起を嵌め込むことでクリック感触を発生させる構成を採用することができる。
【００３３】
かかる構成によれば、クリック感触は、窪みに突起を嵌ることで発生し、たとえば、操作棒に伝達され、操作棒を握る作業者に伝達されることが可能となる。
【００３４】
また、第二の課題を解決するものとして、本発明に係る間接活線作業用器具の位置決め手段は、二箇所以上で位置決め可能であることを好ましい。
【００３５】
かかる構成によれば、位置決め手段は、複数の異なる線径の電線に対して、それぞれ異なる可動部の開き具合に合わせることが可能となる。
【００３６】
その場合、本発明に係る間接活線作業用器具の位置決め手段は、二箇所以上の位置決めに対して、それぞれ異なるクリック感触を発生させる構成を採用することができる。
【００３７】
かかる構成によれば、位置決め手段は、複数の異なる線径の電線に対して、異なる線径ごとに対応するクリック感触を設けることが可能となる。
【発明の効果】
【００３８】
以上より、本発明により、作業者の熟練度に関係なく、可動部の開き具合を、特定の電線の線径などに合った開き具合に迅速かつ簡単に合わせることができる。
【００３９】
また、二箇所以上で位置決め可能な位置決め手段を採用した場合、可動部の開き具合を、複数の異なる線径などの電線に合った開き具合に選択して合わせることができる。
【発明を実施するための最良の形態】
【００４０】
以下、本発明に係る実施形態について、図面を参酌しつつ説明する。
【００４１】
＜第一実施形態＞
まず、第一実施形態に係るストレーリンクトングの構造について、図１を参照して説明する。第一実施形態に係るストレーリンクトング１Ａは、図１（イ）に示すように、先端側にある先端工具２Ａと、本発明に係る操作棒としての、絶縁性を有する長尺の絶縁操作棒３とを備えている。
【００４２】
そして、先端工具２Ａは、略コの字形を有する固定部４Ａと、絶縁操作棒３の軸方向に進退可能に移動する可動部５Ａとを備えている。
【００４３】
また、図１（ロ）に示すように、固定部４Ａは、先端側に鉤爪状の鉤爪部１０を有する爪部１１と、略コの字形の基端部のほぼ中央が貫通され、内周面にネジ溝を切った貫通口を有する回転体１２が挿通された接続部１３とを備えている。回転体１２は、絶縁操作棒３の軸を中心に回転自在であるが、軸方向に進退することができないようになっている。
【００４４】
また、固定部４Ａの鉤爪部１０から基端側に延びる直線部分には、後述する可動体１５Ａと対向する部分に一部を突出させた本発明に係る突部としての球体１９Ａを備えている。球体１９Ａは、図１（ハ）に示すように、前記直線部分を貫通した突部挿入口２０Ａに挿入されている。また、突部挿入口２０Ａの一方の開口２１Ａは、球体１９Ａと、スプリングなどの弾性体２２Ａなどを挿入することができる開口面積を有し、そのまま突部挿入口２０Ａの他方の開口２３Ａまでほぼ同じ径となっている。これに対し、突部挿入口２０Ａの他方の開口２３Ａは、球体１９Ａの一部が突出でき、かつ、球体１９Ａの半球以上が突出しないように、球体１９Ａの直径以下の開口となっている。そして、球体１９Ａは、一方の開口２１Ａより挿入し、他方の開口２３Ａをふさぎ、弾性体２２Ａを挿入する。そして、一方の開口２１Ａは、固定部４Ａの弾性体２２Ａが弾性力を発揮できる位置にフタ２４Ａが固定される。なお、球体１９Ａは、突部挿入口２０Ａから、他方の開口２３Ａより一部を突出させるために、弾性体２２Ａとともに挿入され、フタ２４Ａにて封入されている。よって、一部を突出した球体１９Ａは、外力により突部挿入口２０Ａ内部に押し込み可能な構造となっている。
【００４５】
なお、フタは、球体や弾性体などを取替えるため、突部挿入口の他方の開口２３Ａ付近にねじ溝を設け、突部挿入口と面するフタの側面にねじ山を設けるなどして、取り外せる構造であってもよい。
【００４６】
なお、第一実施形態による突部は、回転させることで、抵抗を下げ、より滑らかに、突部挿入口内部に押し込むことができる球体としたが、窪みに嵌めて、クリック感触を発生させることができればよいので、球体に限らず、楕円形や立方体などの他の形状であってもよい。但し、突部が回転するものについては、１つの位置決め手段に対して、可動体と接する部分により、クリック感触が変わることを防ぐため、回転軸に線対称な形状とする。また、突部は、立方体などであって、窪みの底を突部に合わせて立方体とする場合、一度嵌ると、窪みから突部を抜くことが困難となるため、窪みの底に丸みをつけるなどして、窪みから突部を出しやすい形状とする。
【００４７】
一方、可動部５Ａは、回転体１２の貫通口内周面のネジ溝に噛み合わされるようにネジ山を切った棒状のネジ軸体１４と、固定部４Ａと協働して電線を保持（把持）可能な可動体１５Ａとを備えている。可動体１５Ａは、固定部４Ａと対向する面に凹部を有し、固定部４Ａの鉤爪部１０から基端側に延びる直線部分に該凹部が嵌まり込んだ状態でネジ軸体１４の先端に取り付けられている。
【００４８】
しかも、可動体１５Ａは、固定部４Ａに対向する部分に、固定部４Ａに弾性力により一部を突出させた球体を嵌め込み可能な窪み２５Ａを備えている。よって、可動体１５Ａは、基端側に取り付けるネジ軸体１４の進退と連動して、前記直線部分に沿って移動可能に構成され、かつ可動体１５Ａの移動に伴い、窪み２５Ａに該球体１９Ａを嵌め込み可能となっている。
【００４９】
そして、固定部４Ａと可動部５Ａは、可動部５Ａの可動体１５Ａに備えた窪み２５Ａに、固定部４Ａに備えた球体１９Ａが嵌ることで、位置決めされると共に、クリック感触を発生させる位置決め手段６Ａを備えている。なお、位置決めは、固定部４Ａの鉤爪部の先端１７と可動部５Ａの可動体１５Ａとの隙間１８が、特定の電線を通すことができるように、特定の電線の線径より若干余裕のあるように合わされる。
【００５０】
また、本発明に係る操作棒としての絶縁操作棒３は、図１（イ）に示すように、先端部が固定部４Ａの回転体１２の基端部に固定され、また、可動部５Ａのネジ軸体１４が後退したときに格納可能な空間を先端部に備えている。さらに、絶縁操作棒３が安全限界つば３１と水切りつば３２とを備えていることは、背景技術と同様である。
【００５１】
ここで、本実施形態に係るストレーリンクトング１Ａの使用方法について、図１を用いて説明する。まず、固定部４Ａの鉤爪部の先端１７と可動部５Ａの可動体１５Ａとの開き具合が電線を挿入できる程度まで緩める。そして、絶縁操作棒３を保持して、先端工具２Ａを電線に近づけ、固定部４Ａの鉤爪部の先端１７と可動部５Ａの可動体１５Ａとの隙間１８に、電線を通し、鉤爪部１０に引っ掛ける。この状態で絶縁操作棒３を回転させると、固定部４Ａは、鉤爪部の先端１７と鉤爪部１０の基端部分を接点に電線を捻るように力が加わり、回り止めされる。絶縁操作棒３をさらに回転させると、固定部４Ａが回り止めされているため、接続部１３に対して回転自在に取り付けられている回転体１２が回転する。一方、可動体５Ａは、回転体１２が回転するため、回転体１２の貫通口にネジ込められたネジ軸体１４およびネジ軸体１４に固定された可動体１５Ａに回転力が加わる。しかし、可動体１５Ａは、固定部４Ａの鉤爪部１０から基端側に延びる直線部分に凹部を嵌め込んでいるため、回り止めされている。
【００５２】
よって、絶縁操作棒３を左回転させると、固定部４Ａが電線により回り止めされ、可動体１５Ａが固定部４Ａにより回り止めされているため、回転体１２が左回転して、ネジ軸体１４と可動体１５Ａは、ネジ軸体１４のネジにより、鉤爪部１０に向かって前進し、鉤爪部１０と可動体１５Ａとの隙間１８が狭くなる。すなわち、電線を締め付けることができる。また、絶縁操作棒３を右回転させると、固定部４Ａが電線により回り止めされ、可動体１５Ａが固定部４Ａにより回り止めされているため、回転体１２が右回転して、ネジ軸体１４と可動体１５Ａは、ネジ軸体１４のネジにより、絶縁操作棒３に向かって後退し、鉤爪部１０と可動体１５Ａとの隙間１８が広くなる。すなわち、ロック機構をかけていなければ、電線を緩めることができる。
【００５３】
そして、可動体１５Ａと固定部４Ａの位置決め手段６Ａは、鉤爪部の先端１７と可動体１５Ａとの開き具合が特定の隙間１８になると、クリック感触を発生させ、可動体１５Ａに接続されたネジ軸体１４を介して、絶縁操作棒３にクリック感触が伝わる。そこで、絶縁操作棒３の回転を止めると、鉤爪部の先端１７と可動体１５Ａとの開き具合は、電線を通すことができる隙間１８となっている。よって、作業者は、電線を鉤爪部の先端１７と可動体１５Ａとの隙間１８に挿入することができ、固定部４Ａの鉤爪部１０に電線を嵌め込み、電線と固定部４Ａ及び可動体１５Ａとを、きつく締め付けることで電線を保持することができる。
【００５４】
さらに位置決め手段６Ａによるクリック感触の発生について説明する。絶縁操作棒３を左回転させると、可動体１５Ａは、鉤爪部１０に向かって前進する。そして、固定部４Ａから突出した球体１９Ａの一部は、可動体１５Ａの鉤爪側を向いた部分に接触する。しかし、図１（ハ）にあるように、可動体１５Ａの角が滑らかに切り取られているため、球体１９Ａは、滑らかに固定部４Ａの突部挿入口２０Ａの内部に押し込められる。ゆえに、作業者は、球体１９Ａが押し込められるのに伴う抵抗感を感じることはない。
【００５５】
可動体１５Ａをさらに締め付けると、固定部４Ａの球体１９Ａの位置は、可動体１５Ａの窪み２５Ａの位置に達して、弾性体２２Ａにより球体１９Ａが再び固定部４Ａの外部に突出され、可動体１５Ａの窪み２５Ａの中に嵌り、位置決めされるともに、クリック感触を発生させる。そして、クリック感触は、可動体１５Ａから、ネジ軸体１４を経て、絶縁操作棒３に伝達され、作業者は認識することができ、具体的には、作業者の絶縁操作棒３を握る手にクリック感触が伝わることにより、認識することができる。
【００５６】
可動体１５Ａを続けてさらに締め付けると、固定部４Ａの球体１９Ａは、可動体１５Ａの窪み２５Ａを越えて、再び、可動体１５Ａにより押し下げられ、固定部４Ａの突部挿入口２０Ａ内部に押し込められるので、可動体１５Ａは再び前進することができ、電線をきつく締め付けられるまで前進させることができる。
【００５７】
次に、電線を保持したストレーリンクトング１Ａを電線から取り外す方法について説明する。まず、可動体１５Ａは、容易に電線が緩まないように、つまみ部１６にてロックされている。従って、つまみ部１６を上側に移動させて、ロックを解除する。固定部４Ａの鉤爪部の先端１７と可動部５Ａの可動体１５Ａとの開き具合を、電線を通すことができるように大きくする。すなわち、絶縁操作棒３を回転させて、可動部５Ａを絶縁操作棒３の軸方向に後退させる。そして、可動体１５Ａと固定部４Ａの位置決め手段６Ａは、鉤爪部の先端１７と可動体１５Ａとの開き具合が特定の隙間１８になると、位置決めされると共に、クリック感触を発生する。このクリック感触は、可動体１５Ａに接続されたネジ軸体１４を介して、絶縁操作棒３に伝達される。そこで、作業者は、絶縁操作棒３の回転を止めることで、可動部５Ａを、電線を通すことができる隙間１８で停止させることができる。よって、作業者は、電線を、鉤爪部の先端１７と可動体１５Ａとの隙間１８を通して、取り外すことができる。
【００５８】
なお、同じ径の電線を再び保持するときは、特に可動部５Ａを操作するまでもなく、そのまま電線を鉤爪部の先端１７と可動体１５Ａとの隙間１８に挿入することができ、固定部４Ａの鉤爪部１０に電線を嵌め込み、電線と固定部４Ａ及び可動部５Ａとを、きつく締め付けることで電線を保持することができる。
【００５９】
また、位置決め手段６Ａに対応する電線の線径以外の電線に対して使用する場合でも、従来どおりの目視による鉤爪部の先端１７と可動体１５Ａとの開き具合の確認をして、絶縁操作棒３を調整しながら回転させることができるため、本発明によるストレーリンクトング１Ａは、特定の線径に対応する電線の使用に制限されるものではない。
【００６０】
さらに、位置決め手段６Ａは、鉤爪部の先端１７と可動体１５Ａとの開き具合を、基準となる隙間に合わせてもよい。たとえば、電線の線径が、２５ｓｑ、５８ｓｑ、２００ｓｑを想定するとき、中間の線径である５８ｓｑの電線にあった隙間に合わせておくと、他の２５ｓｑと２００ｓｑの線径の電線に対しては、クリック感触を伝達する前後で、およその判断をすることができる。
【００６１】
よって、本発明に係る第一実施形態のストレーリンクトングを操作する作業者は、固定部の鉤爪部の先端と可動部の可動体との開き具合を目視せずに、絶縁操作棒を操作するだけで、鉤爪部の先端と可動体との開き具合が特定の隙間となったときに、クリック感触を絶縁操作棒から認識することができるため、作業者の熟練度に関係なく、鉤爪部の先端と可動体との開き具合を特定の隙間に合わせることができる。
【００６２】
＜第二実施形態＞
以下、第二実施形態に係るストレーリンクトングについて図２を参照して説明する。第二実施形態に係るストレーリンクトング１Ｂは、異なる線径の電線に対応するものであるため、電線の線径が２５ｓｑ、５８ｓｑ、２００ｓｑの場合を例に説明する。なお、第二実施形態は、第一実施形態と、絶縁操作棒などが同一であるため、以下においては、第一実施形態と異なる点についてのみ説明し、特に同じ部分については、同一の符号を付して詳細な説明を省略する。
【００６３】
まず、ストレーリンクトング１Ｂの構造について説明する。ストレーリンクトング１Ｂの主要構造は、第一実施形態と同じであり、図２（イ）に示すように、先端工具２Ｂと、本発明に係る操作棒としての絶縁操作棒３とを備えている。そして、先端工具２Ｂは、固定部４Ｂと、可動部５Ｂとを備えている。
【００６４】
そして、固定部４Ｂは、先端側に鉤爪状の鉤爪部１０を有する爪部１１と、略コの字形の基端部のほぼ中央が貫通され、内周面にネジ溝を切った貫通口を有する回転体１２が挿通された接続部１３とを備えている。回転体１２は、絶縁操作棒３の軸を中心に回転自在であるが、軸方向に進退することができないようになっている。
【００６５】
また、固定部４Ｂの鉤爪部１０から基端側に延びる直線部分には、後述する可動体１５Ｂと対向する部分に一部を突出させた本発明に係る突部としての３つの球体１９Ｘ、１９Ｙ、１９Ｚを備えている。球体１９Ｘ、１９Ｙ、１９Ｚは、図２（ハ）に示すように、それぞれ該直線部分を貫通した突部挿入口２０Ｘ、２０Ｙ、２０Ｚに挿入されている。また、突部挿入口２０Ｘ、２０Ｙ、２０Ｚの一方の開口２１Ｘ、２１Ｙ、２１Ｚは、それぞれ球体１９Ｘ、１９Ｙ、１９Ｚとスプリングなどの弾性体２２Ｘ、２２Ｙ、２２Ｚなどを挿入することができる開口面積を有し、そのままそれぞれ突部挿入口２０Ｘ、２０Ｙ、２０Ｚの他方の開口２３Ｘ、２３Ｙ、２３Ｚ近辺までほぼ同じ径となっている。これに対し、突部挿入口２０Ｘ、２０Ｙ、２０Ｚの他方の開口２３Ｘ、２３Ｙ、２３Ｚは、それぞれ球体１９Ｘ、１９Ｙ、１９Ｚの一部が突出でき、かつ、それぞれ球体１９Ｘ、１９Ｙ、１９Ｚの半球以上が突出しないように、それぞれの球体１９Ｘ、１９Ｙ、１９Ｚの直径以下の開口となっている。そして、球体１９Ｘ、１９Ｙ、１９Ｚは、それぞれの一方の開口２１Ｘ、２１Ｙ、２１Ｚより挿入し、それぞれの他方の開口２３Ｘ、２３Ｙ、２３Ｚをふさぎ、それぞれの弾性体２２Ｘ、２２Ｙ、２２Ｚを挿入する。そして、それぞれの一方の開口２１Ｘ、２１Ｙ、２１Ｚは、それぞれの弾性体２２Ｘ、２２Ｙ、２２Ｚが弾性力を発揮できる位置にフタ２４Ｘ、２４Ｙ、２４Ｚが固定される。
【００６６】
一方、図２（ロ）に示すように、可動部５Ｂは、回転体１２の貫通口内周面のネジ溝に噛み合わさるようにネジ山を切った棒状のネジ軸体１４と、固定部４Ｂと協働して電線を保持（把持）可能な可動体１５Ｂとを備えている。可動体１５Ｂは、固定部４Ｂと対向する面に凹部を有し、固定部４Ｂの鉤爪部１０から基端側に延びる直線部分に該凹部が嵌まり込んだ状態でネジ軸体１４の先端に取り付けられている。
【００６７】
しかも、可動体１５Ｂは、固定部４Ｂに対向する部分に、後述する固定部４Ｂに弾性力により一部を突出させた球体１９Ｘ、１９Ｙ、１０Ｚを嵌め込み可能な窪み２５Ｂを備えている。よって、可動体１５Ｂは、基端側に取り付けるネジ軸体１４の進退と連動して、前記直線部分に沿って移動可能に構成され、かつ可動体１５Ｂの移動に伴い、窪み２５Ｂに球体１９Ｘ、１９Ｙ、１９Ｚを嵌め込み可能となっている。
【００６８】
そして、固定部４Ｂと可動部５Ｂは、固定部４Ｂに備えた球体１９Ｘ、１９Ｙ、１９Ｚが、可動部５Ｂの可動体１５Ｂに備えた窪み２５Ｂに嵌ることで、位置決めされると共に、クリック感触を発生させる位置決め手段６Ｂを備えている。一部が突出した球体１９Ｘ、１９Ｙ、１９Ｚは、外力により突部挿入口２０Ｘ、２０Ｙ、２０Ｚ内部に押し込み可能な構造となっている。
【００６９】
また、位置決めは、固定部４Ｂの鉤爪部の先端１７と可動部５Ｂの可動体１５Ｂとの隙間１８が三箇所の異なる特定の電線を通すことができるように、三箇所とも特定の電線の線径より若干余裕のある位置となっている。よって、三箇所の球体１９Ｘ、１９Ｙ、１９Ｚは、これらの位置で窪み２５Ｂに嵌るように合わされ、それぞれの球体１９Ｘ、１９Ｙ、１９Ｚで、異なるクリック感触が発生する。
【００７０】
たとえば、位置決めは、固定部４Ｂの基端側から先端側に向かって並んだ三箇所の突出した球体１９Ｘ、１９Ｙ、１９Ｚに対し、基端側の球体２０Ｘに可動体１５Ｂの窪み２５Ｂが嵌る位置を２００ｓｑの線径に合わせ、真ん中の球体２０Ｙに可動体１５Ｂの窪み２５Ｂが嵌る位置を５８ｓｑの線径に合わせ、先端側の球体２０Ｚに可動体１５Ｂの窪み２５Ｂが嵌る位置を２５ｓｑの線径に合わせる。
【００７１】
そして、固定部４Ｂと可動部５Ｂは、可動部５Ｂの可動体１５Ｂに備えた窪み２５Ｂに、固定部４Ｂに備えた球体１９Ｘ、１９Ｙ、１９Ｚが嵌ることで、位置決めされると同時に、それぞれの球体１９Ｘ、１９Ｙ、１９Ｚで異なるクリック感触を発生させる位置決め手段６Ｂを備えている。なお、球体１９Ｘ、１９Ｙ、１９Ｚは、それぞれの突部挿入口２０Ｘ、２０Ｙ、２０Ｚに、それぞれの他方の開口２３Ｘ、２３Ｙ、２３Ｚより一部が突出するようにそれぞれに弾性体２２Ｘ、２２Ｙ、２２Ｚとともに挿入され、それぞれにフタ２４Ｘ、２４Ｙ、２４Ｚにて封入されている。よって、一部が突出した球体１９Ｘ、１９Ｙ、１９Ｚは、外力によりそれぞれの突部挿入口２０Ｘ、２０Ｙ、２０Ｚ内部に押し込み可能な構造となっている。
【００７２】
また、位置決め手段６Ｂは、それぞれ同じ弾性力を有する弾性体２２Ｘ、２２Ｙ、２２Ｚを使用して、固定部４Ｂのそれぞれの突部挿入口２１Ｘ，２１Ｙ，２１Ｚのそれぞれの一方の開口２１Ｘ、２１Ｙ、２１Ｚをふさぐそれぞれのフタ２４Ｘ、２４Ｙ、２４Ｚの固定位置を、それぞれ異なる深さにする。
【００７３】
たとえば、三箇所のフタ２４Ｘ、２４Ｙ、２４Ｚの固定位置は、基端側から先端側に向かってそれぞれのフタ２４Ｘ、２４Ｙ、２４Ｚを、突部挿入口２１Ｘ，２１Ｙ，２１Ｚの一方の開口２１Ｘ、２１Ｙ、２１Ｚから順に深くなるように固定する。よって、深い位置の球体２０Ｘほど、弾性力が強いため、クリック感触が強く感じることができ、浅い位置の球体２０Ｚほど、弾性力が弱いため、クリック感触が弱く感じられる。よって、操作部３２に達したクリック感触の程度により、位置決め手段６Ｂのどの球体１９Ｘ、１９Ｙ、１９Ｚによるものかを判別することができ、すなわち、どの線径に合った隙間１８であるかを判別することができる。
【００７４】
なお、位置決め手段は、必ずしも三箇所である必要はなく、取り付けられるのであれば、取り付け数に制限はない。また、必ずしも突部を複数備える必要はなく、突部の代わりに窪みを複数備えてもよい。この場合、窪みの大きさを変えて、クリック感触に変化を出すことで、位置決め手段のどの窪みによるものかを判別することができ、すなわち、どの線径に合った隙間であるかを判別することができる。
【００７５】
さらに、位置決め手段のクリック感触の変化の出し方についても、フタの固定位置による弾性力の違い以外に、弾性体そのものの弾性力に違いを与えてもよく、また、これらの組み合わせであってもよい。
【００７６】
ここで、本実施形態に係るストレーリンクトングの使用方法について、図２を用いて説明する。まず、固定部４Ｂの鉤爪部の先端１７と可動部５Ｂの可動体１５Ｂとの開き具合が電線を挿入できる程度まで緩める。そして、絶縁操作棒３を保持して、先端工具２を電線に近づけ、固定部４Ｂの鉤爪部の先端１７と可動部５Ｂの可動体１５Ｂとの隙間１８に、電線を通し、鉤爪部１０に引っ掛ける。よって、絶縁操作棒３を左回転させると、固定部４Ｂが電線により回り止めされ、可動体１５Ｂが固定部４Ｂにより回り止めされているため、可動体１５Ｂは、鉤爪部１０に向かって前進し、鉤爪部１０と可動体１５Ｂとの隙間１８が狭くなる。すなわち、電線を締め付けることができる。また、絶縁操作棒３を右回転させると、固定部４Ｂが電線により回り止めされ、可動体１５Ｂが固定部４Ｂにより回り止めされているため、可動体１５Ｂは、絶縁操作棒３に向かって後退し、鉤爪部１０と可動体１５Ｂとの隙間１８が広くなる。すなわち、ロック機構をかけていなければ、電線を緩めることができる。
【００７７】
そして、可動体１５Ｂと固定部４Ｂの位置決め手段６Ｂは、鉤爪部の先端１７と可動体１５Ｂとの開き具合が特定の隙間１８になると、クリック感触を発生させ、可動体１５Ｂに接続されたネジ軸体１４を介して、絶縁操作棒３にクリック感触が伝わる。さらに、該クリック感触は、電線の線径ごとにクリック感触の強さなどが異なっているため、鉤爪部の先端１７と可動体１５Ｂとの開き具合を確認することができ、所望の特定の隙間１８になるまで繰り返すことができる。そして、特定の隙間１８となれば、絶縁操作棒３の回転を止めると、鉤爪部の先端１７と可動体１５Ｂとの開き具合は、電線を通すことができる隙間１８となっている。よって、作業者は、電線を鉤爪部の先端１７と可動体１５Ｂとの隙間１８に挿入することができ、固定部４Ｂの鉤爪部１０に電線を嵌め込み、電線と固定部４Ｂ及び可動体１５Ｂとを、きつく締め付けることで電線を保持することができる。
【００７８】
なお、クリック感触は、球体１９Ｘ、１９Ｙ、１９Ｚのそれぞれで異なるため、可動体１５Ｂの停止位置がわからないストレーリンクトング１Ｂを使用する場合でも、クリック感触の違いにより、判別することができる。これは、他人が使っていたストレーリンクトング１Ｂを途中から使用する場合などに有効である。
【００７９】
よって、第二実施形態に係るストレーリンクトングを保持する作業者は、異なる線径の電線を利用する場合であっても、固定部の鉤爪部の先端と可動体との開き具合を目視せずに、絶縁操作棒を操作するだけで、鉤爪部の先端と可動体との開き具合が特定の隙間となったときに、クリック感触を絶縁操作棒から認識することができ、異なる線径の電線に合う複数の開き具合のうち、保持する線径の電線に合った開き具合を、クリック感触から、作業者の熟練度に関係なく、特定の隙間に操作することができる。
【００８０】
以上、二つの実施形態に係るストレーリンクトングについて説明したが、本発明は、上記実施形態に限定されず、本発明の要旨を逸脱しない範囲で様々の変更が可能である。
【００８１】
たとえば、第一及び第二実施形態では、ストレーリンクトングを説明したが、間接接地地絡器具や針電極クランプなどを含むクランプなどの他の間接活線作業用器具であっても適用可能である。ただし、ここでいうクランプとは、狭義によるものであり、ストレーリンクトングを含まない間接活線作業用器具であるが、広義によるクランプは、ストレーリンクトングを含む間接活線作業用器具と捉えることもできる。
【００８２】
また、間接接地地絡器具の場合は、先端工具としての地絡金具に、第一及び第二実施形態に係るストレーリンクトングの先端金具と同じように位置決め手段を取り付けることで、同じ効果を得ることができる。
【００８３】
また、図７にあるように従来使用されている針電極クランプ２００の場合は、可動体２１５が、ストレーリンクトングの可動部のように、固定部２０４と対向する面に凹部を有していないため、該面と隣り合わせの片面に設けられる突部としての球体を嵌め込む位置に窪みを備えることができない。しかし、図３に示すように、可動体２１５Ａに、該球体２１９Ａを嵌め込むことができる窪み２２５Ａを設けるために、該球体２１９Ａを備える固定部２０４Ａの部分と対向するように板状の突部受け部２３９Ａを備える。なお、球体２１９Ａを受ける窪み２２５Ａを突部受け部２３９Ａに備えて、位置決め手段２０６Ａとしてもよい。針電極クランプは、図７にあるような針電極を可動体に固定するもの以外にも、特許文献３にあるような針電極と可動体が別々に移動可能なものであってもよい。
【００８４】
また、間接接地地絡器具や針電極クランプなどは、背景技術の項で記載したとおり、可動部を限界まで緩めずに共用操作棒を回転させると、固定部と可動体との隙間に電線を挿入しづらい場合があったが、位置決め装置を備えることで、固定部は、可動体を位置決めするとともに、共用操作棒の傾きに対して、容易に回転しないように保持することができる。よって、可動部を最後まで緩めて、可動体を固定部に押し付ける必要がなくなり、共用操作棒を持ち上げるまえにあらかじめ位置決めしておき、固定部の鉤爪部と可動体との隙間に挿入した後の締め付けを減らすことができる。
【００８５】
また、位置決め手段は、第一および第二実施形態では、固定部に突部としての球体を備え、可動部に窪みを備えることでクリック感触を発生させたが、図４に示すように球体に代えて弾性を有する棒状の突起としてもよい。
【００８６】
この例による位置決め手段の構成について、図４を用いて説明すると、固定部３０４には、棒状の弾性を有する突起３１９を備え、該突起３１９は、頂部の一部が突出する程度を残す深さの凹部を有し、該底部に突起３１９の一端を固定し、かつ、固定した一端を支点に頂部の一部が残る程度に折り曲げるスペースを有する移動空間３２０に備えられている。また、可動体３１５は、突起３１９の頂部を収めることができる四方形の窪み３２５を備えている。
【００８７】
この例による位置決め手段３０６の動作について説明すると、可動体３１５は固定部３０４に沿って移動すると、突出した突起３１９の頂部に接触する。但し、図４（イ）にあるように、可動体３１５の角が滑らかに切り取られているため、徐々に折り曲げられ、クリック感触は発生しない。完全に可動体３１５により折り曲げられた突起３１９は、図４（ロ）にあるように、可動体３１５の窪み３２５で弾性により起き上がり、クリック感触を発生させることができる。
【００８８】
また、第一および第二実施形態（図１、２参照）などにあるように、可動体は、突部および突起を備える部分と対向する窪み以外の部分に、突部および突起と滑らかに接触するように角を滑らかに切り取ってもよい。これによって、突部および突起は、徐々に固定部の突部挿入口の内部に挿入され、もしくは、弾性により折り曲がることで、作業者にクリック感触と混同するような抵抗感を感じさせないものである。
【００８９】
また、位置決め手段について、必ずしも可動体に窪みを、固定部に突部もしくは突起を備えるものである必要はなく、たとえば、可動体に突部もしくは突起を、固定部に窪みを備えてもよい。また、取り付け位置についても、固定部の内面に窪みもしくは突部のいずれか一方を備え、可動体の凹部の底に他の一方を備えてもよい。もちろん、該突部を突起に変えた場合においても同様である。
【００９０】
また、作業者に対するクリック感触の伝達手段について、先端工具に接続される操作棒に伝達される以外に、操作棒は、電線を締め付けたり、緩めたりする行為のみに使用され、先端工具は、クリック感触の伝達において、突部もしくは突起を窪みに嵌め込むことで、クリック感触としてのクリック音を発し、このクリック音が作業者に伝達されることで、固定部の鉤爪部の先端と可動部の可動体との開き具合が、電線の線径に合っていることを認識するものであってもよい。
【００９１】
また、位置決め手段の取り付け位置は、固定部の鉤爪部の先端と可動部の可動体との開き具合を、電線の線径に合わせる以外に、たとえば、間接接地地絡器具１００の仮支持用棒１３６などに合わせたものを含めてもよい。
【図面の簡単な説明】
【００９２】
【図１】第一実施形態に係るストレーリンクトングであって、（イ）は、全体外観斜視図、（ロ）は、（イ）の点線範囲ａの拡大図、（ハ）は、（ロ）のａ−ａ線断面図、を示す。
【図２】第二実施形態に係るストレーリンクトングであって、（イ）は、全体外観斜視図、（ロ）は、（イ）の点線範囲ａの拡大図、（ハ）は、（ロ）にａ−ａ線断面図、を示す。
【図３】第一実施形態に係る他の間接活線作業用器具への適用例である針電極クランプであって、（イ）は、正面図を示し、（ロ）は、側面図、を示す。
【図４】他の実施形態に係る位置決め手段であって、（イ）は、突起を可動体により、折り曲げられ、移動空間に納まった状態を示し、（ロ）は、（イ）の状態から可動体を移動したことにより、突起を可動体の窪みに嵌め込み、クリック感触を発生した状態を示す。
【図５】従来のストレーリンクトングであって、（イ）は、全体外観斜視図、（ロ）は、（イ）の点線範囲ａの拡大図、を示す。
【図６】従来の間接接地地絡器具であって、（イ）は、正面図、（ロ）は、側面図、（ハ）は、間接接地地絡器具と共に用いられる接地極の正面図、を示す。
【図７】従来の針電極クランプであって、（イ）は、正面図、（ロ）は、側面図を示す。
【符号の説明】
【００９３】
１、１Ａ、１Ｂ…間接活線作業用器具、２、２Ａ、２Ｂ…先端工具、３…絶縁操作棒（操作棒）、４、４Ａ、４Ｂ…固定部、５、５Ａ、５Ｂ…可動部、６Ａ、６Ｂ…位置決め手段
１０…鉤爪部、１１…爪部、１２…回転体、１３…接続部、１４…ネジ軸体、１５、１５Ａ，１５Ｂ…可動体、１６…つまみ部、１７…鉤爪部の先端、１８…隙間、１９Ａ、１９Ｂ…球体、２０Ａ、２０Ｘ、２０Ｙ、２０Ｚ…突部挿入口、２０Ａ、２１Ｘ、２１Ｙ、２１Ｚ…開口、２２Ａ、２２Ｘ、２２Ｙ、２２Ｚ…弾性体、２３Ａ、２３Ｘ、２３Ｙ、２３Ｚ…開口、２４Ａ、２４Ｘ、２４Ｙ、２４Ｚ…フタ、２５Ａ、２５Ｘ、２５Ｙ、２５Ｚ…窪み、３１…安全限界つば、３２…水切りつば、１００…間接接地地絡器具、１０２…地絡金具（先端工具）、１３６…仮支持用棒、１３７…地絡線、１３８…接地極、１３９…接地金具、１４０…接地線、１４１…接続金具、１４２…接続端子、１４３…係合切れ込み、２００、２００Ａ…針電極クランプ、２０４、２０４Ａ…固定部、２０５、２０５Ａ…可動部、２０６Ａ…位置決め手段、２１０、２１０Ａ…鉤爪部、２１４…ネジ軸体、２１５、２１５Ａ…可動体、２１９、２１９Ａ…球体（突部）、２２５Ａ…窪み、２３６…針電極、２３７…出力端子、２３８…接続金具、２３９Ａ…突部受け部、３０４…固定部、３０６…位置決め手段、３１５…可動体、３１９…突起、３２０…移動空間、３２５…窪み
【図１】
2010068582.tif 000003
【図２】
2010068582.tif 000004
【図３】
2010068582.tif 000005
【図４】
2010068582.tif 000006
【図５】
2010068582.tif 000007
【図６】
2010068582.tif 000008
【図７】
2010068582.tif 000009